(57)【特許請求の範囲】
【請求項１】
原稿がセットされる原稿セット部と、
前記原稿セット部にセットされた原稿を自動搬送する自動搬送機構と、
光電変換用の複数の素子を有し、前記自動搬送される原稿を読み取るための読取領域と該読取領域とは異なる所定領域とに対して読み取りが可能な読取手段と、
前記所定領域に対向する読取手段の受光状態を前記原稿セット部に原稿がセットされることにより切り替えが可能な機構として構成された切替部と、
前記所定領域を読み取るよう前記読取手段を制御し、該読み取りにより得られる前記素子の出力に基づいて前記原稿セット部に原稿がセットされているか否かを検出する原稿検出制御手段と、を備え、
前記切替部は、前記原稿セット部への原稿のセットに機械的に連動する連動機構と、該連動機構に取り付けられ、該連動機構の連動に伴って前記所定領域上の位置か該所定領域から外れた位置のいずれかに変位する変位部材とにより構成されてなる
ことを特徴とする原稿読取装置。
【請求項２】
請求項１記載の原稿読取装置であって、
前記連動機構は、上端が前記原稿セット部から上方に突出すると共に下端に前記変位部材が取り付けられたレバー部材と、該レバー部材を回動可能に支持する回転軸とにより構成され、前記原稿セット部にセットされる原稿の重みにより前記レバー部材の上端が下方に押し込まれて該レバー部材が前記回転軸を中心に回動することにより機械的に連動する
ことを特徴とする原稿読取装置。
【請求項３】
請求項１ないし２いずれか１項に記載の原稿読取装置であって、
前記読取手段は、前記複数の素子が主走査方向に配列される手段であり、
前記読取領域と前記所定領域とは、副走査方向に並んだ領域であり、
前記読取手段を副走査方向に移動させる移動手段を備え、
前記原稿検出制御手段は、前記原稿セット部に原稿がセットされていることを検出したときには、前記読取手段が前記所定領域から前記読取領域に移動するよう前記移動手段を制御する手段である
原稿読取装置。
【請求項４】
請求項１ないし３いずれか１項に記載の原稿読取装置であって、
前記読取手段は、前記複数の素子が複数の素子ユニットに分かれて構成された手段であり、
前記読取手段に対し、前記複数の素子ユニットを前記所定領域に対向し得る一部の素子ユニットと該一部の素子ユニットを除いた残りの素子ユニットとに分けて、給電と該給電の停止とが可能な電源回路を備え、
前記原稿検出制御手段は、前記原稿セット部に原稿がセットされていることを検出するまでは、前記一部の素子ユニットに給電すると共に前記残りの素子ユニットへの給電を停止するよう前記電源回路を制御し、前記原稿セット部に原稿がセットされていることを検出したときには、前記複数の素子ユニットのすべてに給電するよう前記電源回路を制御する手段である
原稿読取装置。
【請求項５】
前記読取手段と前記原稿検出制御手段とが筐体に収容される請求項１ないし４いずれか１項に記載の原稿読取装置であって、
前記自動搬送機構は、前記筐体の上部に開閉可能に取り付けられた筐体カバーに組み込まれ、
前記原稿セット部は、前記筐体カバーの上面側に形成されてなる
原稿読取装置。
【請求項６】
原稿がセットされる原稿セット部と、前記原稿セット部にセットされた原稿を自動搬送する自動搬送機構と、光電変換用の複数の素子を有し前記自動搬送される原稿を読み取るための読取領域と該読取領域とは異なる所定領域とに対して読み取りが可能な読取手段と、前記所定領域に対向する読取手段の受光状態を前記原稿セット部に原稿がセットされることにより切り替えが可能な機構として構成された切替部と、を備える原稿読取装置における原稿検出方法であって、
前記所定領域を読み取るよう前記読取手段を制御し、該読み取りにより得られる前記素子の出力に基づいて前記原稿セット部に原稿がセットされているか否かを検出し、
前記切替部は、前記原稿セット部への原稿のセットに機械的に連動し、該連動に伴って前記所定領域上の位置か該所定領域から外れた位置のいずれかに変位する
ことを特徴とする原稿検出方法。
【発明の詳細な説明】
【技術分野】
【０００１】
本発明は、原稿読取装置および原稿検出方法に関する。
【背景技術】
【０００２】
従来より、この種の原稿読取装置としては、トレイにセットされる複数枚の原稿を自動原稿搬送機構（ＡＤＦ）により順次搬送しながら読取用のセンサーにより原稿を読み取るものが提案されている（例えば、特許文献１参照）。この装置では、ＡＤＦのトレイ上から読取用のセンサーに向けて発光する発光素子を設けておき、読取用のセンサーが発光素子からの発光を検出しているときにはトレイに原稿はセットされていないと判定し、読取用のセンサーが発光素子からの発光を検出していないときにはトレイに原稿がセットされていると判定するものとしており、これにより、読取用のセンサーを原稿の有無の検出に兼用することができるとしている。
【先行技術文献】
【特許文献】
【０００３】
【特許文献１】特開平９−１６３０６６号公報
【発明の概要】
【発明が解決しようとする課題】
【０００４】
上述した特許文献１に記載された装置では、読取用のセンサーを原稿の読み取りと原稿の有無の検出とに兼用することができるものの、原稿の有無を検出するために専用の発光素子が必要であることから、原稿の有無を検出するための受発光素子のうち受光素子の役割を読取用のセンサーに担わせているに過ぎないものといえる。このため、専用の発光素子や発光素子をコントローラーと接続するための配線などが必要となり、コントローラー側も発光素子用の出力ポートを用意しなければならない。このように、原稿の有無を検出するために、たとえ発光素子だけであっても専用の電子部品を設けると、電気的な構成が複雑になって部品点数を削減することができないだけでなく、コスト面でも不利となる。
【０００５】
本発明の原稿読取装置および原稿検出方法は、電気的に簡素な構成で原稿の有無を検出することを主目的とする。
【課題を解決するための手段】
【０００６】
本発明の原稿読取装置および原稿検出方法は、上述の主目的を達成するために以下の手段を採った。
【０００７】
本発明の原稿読取装置は、
原稿がセットされる原稿セット部と、
前記原稿セット部にセットされた原稿を自動搬送する自動搬送機構と、
光電変換用の複数の素子を有し、前記自動搬送される原稿を読み取るための読取領域と該読取領域とは異なる所定領域とに対して読み取りが可能な読取手段と、
前記所定領域に対向する読取手段の受光状態を前記原稿セット部に原稿がセットされることにより切り替えが可能な機構として構成された切替部と、
前記所定領域を読み取るよう前記読取手段を制御し、該読み取りにより得られる前記素子の出力に基づいて前記原稿セット部に原稿がセットされているか否かを検出する原稿検出制御手段と、
を備えることを要旨とする。
【０００８】
この本発明の原稿読取装置では、自動搬送される原稿を読み取るための読取領域とは異なる所定領域を読み取るよう読取手段を制御し、読み取りにより得られる素子の出力に基づいて原稿セット部に原稿がセットされているか否かを検出する。これにより、自動搬送される原稿を読み取るための読取手段を原稿検出に兼用することができる。この結果、原稿検出専用の電子部品が不要となるから、電気的に簡素な構成で原稿の有無を検出することができる。なお、所定領域を読取領域とは異なる領域としたことで、自動搬送される原稿を読み取るときに不都合が生じることはない。
【０００９】
また、本発明の原稿読取装置において、前記切替部は、前記原稿セット部への原稿のセットに機械的に連動する連動機構と、該連動機構に取り付けられ該連動機構の連動に伴って前記所定領域上の位置か該所定領域から外れた位置のいずれかに変位する変位部材とにより構成されてなるものとすることもできる。こうすれば、読取手段は変位部材の有無を検出すればよいから、簡易な構成で原稿の有無を比較的精度よく検出することができる。
【００１０】
この態様の本発明の原稿読取装置において、前記連動機構は、上端が前記原稿セット部から上方に突出すると共に下端に前記変位部材が取り付けられたレバー部材と、該レバー部材を回動可能に支持する回転軸とにより構成され、前記原稿セット部にセットされる原稿の重みにより前記レバー部材の上端が下方に押し込まれて該レバー部材が前記回転軸を中心に回動することにより機械的に連動するものとすることができる。こうすれば、少ない部品点数で連動機構を構成することができる。
【００１１】
さらに、本発明の原稿読取装置において、前記読取手段は、前記複数の素子が主走査方向に配列される手段であり、前記読取領域と前記所定領域とは、副走査方向に並んだ領域であり、前記読取手段を副走査方向に移動させる移動手段を備え、前記原稿検出制御手段は、前記原稿セット部に原稿がセットされていることを検出したときには、前記読取手段が前記所定領域から前記読取領域に移動するよう前記移動手段を制御する手段であるものとすることもできる。こうすれば、読取手段を原稿検出に兼用するものとしても、自動搬送機構により搬送される原稿の読み取り開始が遅れるのを防止することができる。
【００１２】
そして、本発明の原稿読取装置において、前記読取手段は、前記複数の素子が複数の素子ユニットに分かれて構成された手段であり、前記読取手段に対し、前記複数の素子ユニットを前記所定領域に対向し得る一部の素子ユニットと該一部の素子ユニットを除いた残りの素子ユニットとに分けて、給電と該給電の停止とが可能な電源回路を備え、前記原稿検出制御手段は、前記原稿セット部に原稿がセットされていることを検出するまでは、前記一部の素子ユニットに給電すると共に前記残りの素子ユニットへの給電を停止するよう前記電源回路を制御し、前記原稿セット部に原稿がセットされていることを検出したときには、前記複数の素子ユニットのすべてに給電するよう前記電源回路を制御する手段であるものとすることもできる。こうすれば、読取手段を原稿検出に兼用するものとしても、原稿の有無を検出する際の消費電力を小さくすることができる。
【００１３】
また、前記読取手段と前記原稿検出制御手段とが筐体に収容される本発明の原稿読取装置において、前記自動搬送機構は、前記筐体の上部に開閉可能に取り付けられた筐体カバーに組み込まれ、前記原稿セット部は、前記筐体カバーの上面側に形成されてなるものとすることもできる。このような原稿読取装置において、原稿セット部に原稿検出専用の電子部品を設けるためには、筐体と筐体カバーとを繋ぐヒンジ機構などの中に配線を這わせなければならず、配線が必要以上に長くなる場合が生じる。このため、本発明を適用する意義が高い。
【００１４】
本発明の原稿検出方法は、
原稿がセットされる原稿セット部と、前記原稿セット部にセットされた原稿を自動搬送する自動搬送機構と、光電変換用の複数の素子を有し前記自動搬送される原稿を読み取るための読取領域と該読取領域とは異なる所定領域とに対して読み取りが可能な読取手段と、前記所定領域に対向する読取手段の受光状態を前記原稿セット部に原稿がセットされることにより切り替えが可能な機構として構成された切替部と、を備える原稿読取装置における原稿検出方法であって、
前記所定領域を読み取るよう前記読取手段を制御し、該読み取りにより得られる前記素子の出力に基づいて前記原稿セット部に原稿がセットされているか否かを検出する
ことを要旨とする。
【００１５】
この本発明の原稿検出方法では、自動搬送される原稿を読み取るための読取領域とは異なる所定領域を読み取るよう読取手段を制御し、読み取りにより得られる素子の出力に基づいて原稿セット部に原稿がセットされているか否かを検出する。これにより、自動搬送される原稿を読み取るための読取手段を原稿の検出に兼用することができる。この結果、原稿検出専用の電子部品が不要となるから、電気的に簡素な構成で原稿の有無を検出することができる。なお、所定領域を読取領域とは異なる領域としたことで、自動搬送される原稿を読み取るときに不都合が生じることはない。なお、この原稿検出方法において、上述した原稿読取装置のいずれかの態様を追加するものとしてもよい。
【図面の簡単な説明】
【００１６】
【図１】プリンター２０の構成の概略を示す構成図。
【図２】筐体カバー２２を開けた状態のプリンター２０の外観図。
【図３】スキャナーユニット５０の構成の概略を示す構成図。
【図４】連動機構８２と変位部材８４の構成の概略を示す説明図。
【図５】連動機構８２と変位部材８４の作動の様子を示す説明図。
【図６】電源回路９５の回路構成の一部の概略を示す構成図。
【図７】原稿有無検出処理ルーチンの一例を示すフローチャート。
【図８】検出されるパターンの一例を示す説明図。
【発明を実施するための形態】
【００１７】
次に、本発明の実施の形態を図面を用いて説明する。図１は、本発明の一実施形態であるプリンター２０の構成の概略を示す構成図であり、図２は、筐体カバー２２を開けた状態のプリンター２０の外観図であり、図３は、スキャナーユニット５０の構成の概略を示す構成図である。
【００１８】
本実施形態のプリンター２０は、図１に示すように、筐体２１と、筐体２１の上面を開閉可能な筐体カバー２２とにより構成されている。このプリンター２０は、カセット２５内にセットされている用紙を給紙し印刷して排紙トレイ２６に排紙するプリンターユニット４０と、原稿を光学的に読み取ってイメージデータを生成するスキャナーユニット５０と、メモリーカードスロット４４ａに挿入されたメモリーカードＭＣとの間でデータの入出力を司るメモリーカードコントローラー４４と、ユーザーによる各種操作が可能な操作パネル４５と、装置全体の制御を司るメインコントローラー９０と、プリンター２０の作動に必要な電力を各部に供給する電源回路９５と、を備える。筐体２１の上面には、図２に示すように、ガラス板３２が配設され、そのガラス板３２の一部の領域がフラットベッド（ＦＢ）読取領域３２ａとして用いられる。このＦＢ読取領域３２ａに載置された原稿を筐体カバー２２に設けられた原稿押さえ２３により固定して、スキャナーユニット５０で光学的に読み取ることができるようになっている（以下、この読み取りの動作をＦＢ読取動作という）。また、筐体カバー２２の上部には、原稿を１枚ずつ連続的に自動搬送するオートドキュメントフィーダーユニット６１（以下、ＡＤＦユニット６１）が内蔵されており（図３参照）、ガラス板３２のＦＢ読取領域３２ａと異なる領域がＡＤＦユニット６１で自動搬送される原稿を読み取るためのＡＤＦ読取領域３２ｂとして用いられる。そして、筐体カバー２２が閉じられている状態で、ＡＤＦユニット６１により自動搬送される原稿が筐体カバー２２の下面に形成されて透明なフィルム２４で覆われた開口部２２ａを通過すると、ＡＤＦ読取領域３２ｂ上を通過してスキャナーユニット５０で光学的に読み取ることができるようになっている（以下、この読み取りの動作をＡＤＦ読取動作という）。なお、ＦＢ読取領域３２ａの副走査方向の端部には、いわゆるシェーディング補正を行なうための白基準板３６が設けられている。
【００１９】
プリンターユニット４０は、図１に示すように、プリンターＡＳＩＣ４１とプリンター機構４２とを備える。プリンターＡＳＩＣ４１は、プリンター機構４２を制御する集積回路であり、メインコントローラー９０から印刷指令を受けると、印刷指令の対象となる画像ファイルに基づいて用紙に画像を印刷するようプリンター機構４２を制御する。プリンター機構４２は、印刷ヘッドから用紙へインクを吐出することにより印刷を行なう周知のインクジェット方式のカラープリンター機構として構成されている。なお、プリンターユニット４０は、本発明の要旨をなさないから、これ以上の説明は省略する。
【００２０】
スキャナーユニット５０は、スキャナーＡＳＩＣ５１と、スキャナー機構６０とを備える。スキャナーＡＳＩＣ５１は、スキャナー機構６０を制御する集積回路であり、メインコントローラー９０からのスキャン指令を受けると、ＦＢ読取動作かＡＤＦ読取動作のいずれかで原稿をイメージデータとして読み取るようスキャナー機構６０を制御する。
【００２１】
スキャナー機構６０は、図３に示すように、ＡＤＦ原稿トレイ２７にセットされた原稿ＳをＡＤＦ読取領域３２ｂに対向する開口部２２ａまで自動搬送してＡＤＦ排紙トレイ２８に排紙するＡＤＦユニット６１と、ＦＢ読取領域３２ａやＡＤＦ読取領域３２ｂなどを含むガラス板３２に向けて光を照射する光源ユニット７１と、光源ユニット７１から照射されて原稿Ｓなどで反射した反射光を受光して電荷として蓄えることにより原稿Ｓなどの画像を読み取るＣＩＳ７４と、光源ユニット７１とＣＩＳ７４とを搭載するキャリッジ７６と、キャリッジモーター７８ａと従動ローラー７８ｂとに架け渡されたベルト７９をキャリッジモーター７８ａで駆動することによりキャリッジ７６を主走査方向に直交する副走査方向に往復動させる移動機構７７とを備える。また、ＡＤＦ原稿トレイ２７は、図１に示すように、筐体カバー２２の上面側に取り付けられ、セットされる原稿Ｓの幅方向の位置合わせに用いられる固定ガイド２９ａと、セットされる原稿Ｓのサイズ（幅）に合わせてスライド操作が可能な可動ガイド２９ｂとを有し、原稿Ｓを搬送（挿入）方向に沿ってガイドするガイド２９が取り付けられている。
【００２２】
光源ユニット７１は、図２に示すように、赤色光を点灯する赤ＬＥＤ７２Ｒと、緑色光を点灯する緑ＬＥＤ７２Ｇと、青色光を点灯する青ＬＥＤ７２Ｂの３色の光源を有しており、光源からの光を導光体７３を介してガラス板３２に向けて照射する。ＣＩＳ７４は、図２中の拡大図に示すように、一ライン分の複数の受光素子（例えば、ＣＭＯＳ撮像素子）７５ａが主走査方向に配列されたセンサーチップ７５を主走査方向に複数（本実施形態では１５個）並べたものとして構成されており、各色のＬＥＤ７２Ｒ，７２Ｇ，７２Ｂの点灯を順次切り替えながら反射光を一色ずつ読み取ることによりカラーイメージデータを生成する。
【００２３】
ＡＤＦユニット６１は、図３に示すように、ＡＤＦ原稿トレイ２７付近に配置されたピックアップローラー６３と、搬送経路６２に配置された複数の搬送ローラー６４と、ＡＤＦ排紙トレイ２８付近に配置された排紙ローラー６５とを備える。そして、ＡＤＦユニット６１では、各ローラー６３，６４，６５を搬送モーター６６で回転駆動させることにより、ＡＤＦ原稿トレイ２７にセットされた原稿Ｓを一枚ずつ取り込んで搬送経路６２上を自動搬送してＡＤＦ排紙トレイ２８に排紙する。
【００２４】
また、ＡＤＦユニット６１は、ＡＤＦ原稿トレイ２７に組み込まれる連動機構８２と、連動機構８２に取り付けられる変位部材８４とを備える。この連動機構８２と変位部材８４の構成の概略を図４に示し、その作動の様子を図５に示す。図４や図５（ａ）にはＡＤＦ原稿トレイ２７に原稿Ｓがセットされていない場合の様子を示し、図５（ｂ）にはＡＤＦ原稿トレイ２７に原稿Ｓがセットされている場合の様子を示す。図４に示すように、連動機構８２は、断面形状が略Ｌ字状でその上部が屈曲してＡＤＦ原稿トレイ２７に形成された開口部２７ａ（図１参照）から上端が突出したレバー部材８２ａと、レバー部材８２ａを回動可能に支持する回転軸８２ｂとから構成されている。また、変位部材８４は、白色の平板状の部材として、レバー部材８２ａの下端に固定されている。なお、連動機構８２のレバー部材８２ａと変位部材８４とは、それぞれ個別の部材として形成してから一体的な部材としているが、当初から一体的な部材として形成してもよい。また、レバー部材８２ａは詳細な図示は省略するが、搬送経路６２と干渉しない位置および形状に形成するものとした。
【００２５】
ここで、図２に示すように、筐体カバー２２の原稿押さえ２３と開口部２２ａとの間には、主走査方向に沿って開口部２２ｂが形成されると共に白色で形成された固定マーク２２ｃが取り付けられており、この開口部２２ｂ内に変位部材８４が配置されている。また、筐体カバー２２が閉状態とされた場合に、開口部２２ｂや固定マーク２２ｃと対向するガラス板３２の領域であってＦＢ読取領域３２ａとＡＤＦ読取領域３２ｂとの間の領域を、以下、検出領域３２ｃという（図２参照）。そして、原稿ＳがＡＤＦ原稿トレイ２７にセットされていないときには、図５（ａ）に示すように、レバー部材８２ａの上端がＡＤＦ原稿トレイ２７の開口部２７ａから上方に突出する状態（以下、初期状態という）となり、変位部材８４は検出領域３２ｃ上に位置することになる。一方、原稿ＳがＡＤＦ原稿トレイ２７にセットされているときには、図５（ｂ）に示すように、開口部２７ａから上方に突出したレバー部材８２ａの上端が原稿Ｓの重みを受けて開口部２７ａ内に押し込まれてレバー部材８２ａが回転軸８２ｂを中心に回動することにより、原稿Ｓのセットにレバー部材８２ａが連動した状態となる（以下、連動状態という）。このレバー部材８２ａの連動に伴って、変位部材８４は、検出領域３２ｃ上から外れた位置に変位することになる。なお、連動機構８２は、ＡＤＦ原稿トレイ２７にセットされる原稿Ｓが１枚であっても、レバー部材８２ａが連動するよう構成されている。また、開口部２７ａは、図１に示すように、セットされる原稿Ｓの幅方向の位置合わせに用いられる固定ガイド２９ａに沿って形成するものとした。このため、ＡＤＦ原稿トレイ２７に原稿Ｓがセットされれば、その原稿Ｓのサイズに拘わらず、レバー部材８２ａの上端が開口部２７ａ内に押し込まれることになる。
【００２６】
スキャナーＡＳＩＣ５１は、図３に示すように、各デバイスの制御を司る制御回路５２と、ＬＥＤ７２Ｒ，７２Ｇ，７２Ｂを個別にオンオフするＬＥＤ駆動回路５４と、ＣＩＳ７４で生じたアナログ信号を図示しない増幅器を介して入力してデジタル信号に変換するＡ／Ｄ変換器５６と、制御回路５２からの制御信号を受けてキャリッジモーター７８ａや搬送モーター６６を駆動するモーター駆動回路５８とを備える。
【００２７】
操作パネル４５は、図１に示すように、筐体２１の中央に配置された表示部４６と、この表示部４６の左隣に配置された電源ボタン４７とを備える。表示部４６は、タッチパネル式の液晶ディスプレイとして構成されており、モードを選択するモードボタンや各種項目の選択・設定を行なう選択・設定ボタン，コピーや印刷を開始するスタートボタンなどを表示して、タッチ操作を受付可能となっている。ここで、モード選択ボタンにより選択可能なモードとしては、原稿Ｓをスキャンしてコピーするコピーモードや原稿Ｓをスキャンしデータ化してメモリーカードＭＣに保存するスキャンモード，メモリーカードＭＣに記憶された画像を用いて印刷する印刷モードなどがある。
【００２８】
メインコントローラー９０は、ＣＰＵ９１を中心とするマイクロプロセッサーとして構成されており、各種処理プログラムや各種データ、各種テーブルなどを記憶したＲＯＭ９２と、一時的にスキャンデータや印刷データを記憶するＲＡＭ９３と、操作パネル４５との通信を可能とするインターフェース（Ｉ／Ｆ）９４とを備える。このメインコントローラー９０は、プリンターユニット４０やスキャナーユニット５０からの各種動作信号や各種検出信号を入力したり、操作パネル４５のタッチ操作などに応じて発生する操作信号などを入力したりする。また、メモリーカードＭＣから画像ファイルを読み出してメインコントローラー９０へ出力する指令をメモリーカードコントローラー４４に出力したり、画像データの印刷を実行するようプリンターユニット４０に指令を出力したり、操作パネル４５からのスキャン指令に基づいてＦＢ読取領域３２ａに載置された原稿ＳやＡＤＦ原稿トレイ２７にセットされた原稿Ｓを画像データとして読み取るようスキャナーユニット４０に指令を出力したり、操作パネル４５に表示部４６の制御指令などを出力したりする。
【００２９】
電源回路９５は、家庭用の交流電力（例えば、ＡＣ１００ＶやＡＣ２００Ｖなど）を直流電力（例えば、ＤＣ２０Ｖなど）にＡＣ−ＤＣ変換するＡＣアダプター９６を介して供給される電力をプリンター２０の各部に供給するよう構成されている。図６は、電源回路９５の回路構成の一部の概略を示す構成図である。図示するように、電源回路９５は、ＡＣアダプター９６により変換された電力のＣＩＳ７４への供給と供給の停止とを切り替えるスイッチＳＷ１，ＳＷ２を備える。これらのスイッチＳＷ１，ＳＷ２は、それぞれメインコントローラー９０からの制御信号によりオンオフし、スイッチＳＷ１はＣＩＳ７４が備える１５個のセンサーチップ７５のうち一部のセンサーチップ７５（１）〜（５）への給電と給電の停止とを切り替え、スイッチＳＷ２は残りのセンサーチップ７５（６）〜（１５）への給電と給電の停止とを切り替えるよう構成されている。このように構成した理由は後述するが、センサーチップ７５（１）〜（５）は、上述した検出領域３２ｃに対向し得る位置に配列されたチップであり、センサーチップ７５（６）〜（１５）は検出領域３２ｃに対向し得ない位置に配列されたチップである。
【００３０】
次に、こうして構成された本実施形態のプリンター２０の動作、特に、ＡＤＦ原稿トレイ２７に原稿Ｓがセットされているか否か即ちＡＤＦ原稿トレイ２７の原稿Ｓの有無を検出する際の動作について説明する。図７はメインコントローラー９０により実行される原稿有無検出処理ルーチンの一例を示すフローチャートである。このルーチンは、例えば、モード選択ボタンによりコピーモードあるいはスキャンモードが選択されて筐体カバー２２が閉じられている状態やスタートボタンがタッチ操作されてＡＤＦ読取動作が一旦実行された後の待機状態で実行される。
【００３１】
この原稿有無検出処理ルーチンが実行されると、メインコントローラー９０のＣＰＵ９１は、まず、キャリッジ７６が原稿検出位置まで移動するようキャリッジモーター７８ａを駆動制御する（ステップＳ１００）。ここで、原稿検出位置は、ＣＩＳ７４が上述した検出領域３２ｃに対向する（読み取ることができる）位置として予め定められている。キャリッジ７６が原稿検出位置まで移動すると、ＣＩＳ７４の複数のセンサーチップ７５のうち、検出領域３２ｃに対向するセンサーチップ７５だけに給電し、残りのセンサーチップ７５への給電を停止するよう電源回路９５を制御する（ステップＳ１１０）。本実施形態では、上述したように、センサーチップ７５（１）〜（５）が検出領域３２ｃに対向する。このため、ステップＳ１１０では、センサーチップ７５（１）〜（５）に給電するようスイッチＳＷ１をオンとすると共にセンサーチップ７５（６）〜（１５）への給電を停止するようスイッチＳＷ２をオフとする制御信号を電源回路９５に出力する。
【００３２】
次に、ＣＩＳ７４のうち給電されているセンサーチップ７５（１）〜（５）を用いてスキャン処理を実行して（ステップＳ１２０）、センサーチップ７５（１）〜（５）の各受光素子７５ａで得られる出力電圧の検出パターンがどのようなパターンであるかを判定する（ステップＳ１３０）。ステップＳ１２０のスキャン処理は、開口部２２ｂと固定マーク２２ｃとに対向する検出領域３２ｃに対して実行されるため、白色の固定マーク２２ｃや開口部２２ｂ内の白色の変位部材８４を検出することにより、出力電圧が変化することになる。このような出力電圧の検出パターンの一例を図８に示す。本実施形態では、図示するように、検出領域３２ｃ上に変位部材８４が位置することを示す変位部材ありパターンと、検出領域３２ｃ上に変位部材８４が位置しないことを示す変位部材なしパターンと、正常な出力電圧が得られないエラー発生パターンとの３つの検出パターンに分けて判定するものとした。変位部材ありパターンは、固定マーク２２ｃの検出箇所と開口部２２ｂ内の変位部材８４（白色で図示）の検出箇所とで出力電圧が大きくなり、２つのピークをもつ検出パターンとなる。また、変位部材なしパターンは、開口部２２ｂ内の変位部材８４を検出できないために（黒色で図示）、固定マーク２２ｃの検出箇所のみ出力電圧が大きくなり、１つのピークをもつ検出パターンとなる。さらに、エラー発生パターンは、固定マーク２２ｃの検出箇所においても出力電圧が大きくならず、１つのピークも現れない検出パターンとなる。
【００３３】
ステップＳ１３０で検出パターンが変位部材ありパターンであるときには、変位部材８４が検出できるためにレバー部材８２ａ（連動機構８２）は初期状態にあると考えることができるから、原稿なし即ちＡＤＦ原稿トレイ２７に原稿Ｓはセットされていないと判定して（ステップＳ１４０）、再びステップＳ１２０に戻りスキャン処理を実行する。一方、ステップＳ１３０で検出パターンが変位部材なしパターンであるときには、変位部材８４が検出できないためにレバー部材８２ａ（連動機構８２）は連動状態にあると考えることができるから、原稿あり即ちＡＤＦ原稿トレイ２７に原稿Ｓがセットされていると判定する（ステップＳ１５０）。このように、ＡＤＦ原稿トレイ２７に原稿Ｓがセットされているか否かを、原稿検出専用の電子部品（発光素子や受光素子など）を用いることなく、原稿読取用のセンサーであるＣＩＳ７４を用いて検出することができるのである。ＡＤＦ原稿トレイ２７への原稿Ｓのセットにレバー部材８２ａが連動し、レバー部材８２ａの連動に伴って変位部材８４が検出領域３２ｃ上から外れた位置に変位するよう構成したのは、こうした理由による。
【００３４】
ＡＤＦ原稿トレイ２７に原稿Ｓがセットされていると判定すると、キャリッジ７６がＡＤＦ読取位置まで移動するようキャリッジモーター７８ａを駆動制御する（ステップＳ１６０）。ここで、ＡＤＦ読取位置は、ＣＩＳ７４がＡＤＦ読取領域３２ｂに対向し自動搬送される原稿Ｓを読み取ることができる位置として予め定められている。このように、ＡＤＦ原稿トレイ２７に原稿Ｓがセットされていると判定すると、ＡＤＦ読取動作の準備のために、ＡＤＦ読取位置にＣＩＳ７４を移動させるのである。このため、ユーザーがスタートボタンをタッチ操作したときに、速やかにＡＤＦ読取動作を開始することができる。
【００３５】
そして、給電を停止していた残りのセンサーチップ７５への給電を再開するよう電源回路９５を制御して（ステップＳ１７０）、本ルーチンを終了する。ステップＳ１７０では、ステップＳ１１０で給電が停止されたセンサーチップ７５（６）〜（１５）への給電を再開するために、スイッチＳＷ２をオンとする制御信号を電源回路９５に出力する。このように、原稿有無の検出中には、検出領域３２ｃのスキャンに必要のないセンサーチップ７５（６）〜（１５）への給電を停止しておき、ＡＤＦ原稿トレイ２７に原稿Ｓがセットされていると判定すると、ＡＤＦ読取動作の準備のために、センサーチップ７５（６）〜（１５）への給電を再開するのである。これにより、原稿有無の検出中におけるＣＩＳ７４の消費電力を小さくすることができる。複数のセンサーチップ７５をセンサーチップ７５（１）〜（５）とセンサーチップ７５（６）〜（１５）とに分けて、給電と給電の停止とが可能となるよう電源回路９５を構成したのは、このためである。
【００３６】
また、ステップＳ１３０で検出パターンがエラー発生パターンであるときには、エラー発生時処理を実行して（ステップＳ１８０）、本ルーチンを終了する。ここで、エラー発生パターンは、図８に示したように、固定マーク２２ｃすら検出できないものである。その原因としては、例えば、ステップＳ１００の処理が正常になされずＣＩＳ７４が原稿検出位置とは異なる位置にあることやステップＳ１１０の処理が正常になされず必要なセンサーチップ７５に給電されていないことなどが考えられる。このため、エラー発生時処理としては、例えば、ステップＳ１００やステップＳ１１０の処理を再実行し、再実行によってもステップＳ１２０，１３０で再びエラー発生パターンが検出されれば、エラーが発生した旨のメッセージを表示部４６に表示する処理などが行なわれる。なお、ステップＳ１００やステップＳ１１０の処理を再実行することなく、当初よりエラーが発生した旨のメッセージを表示部４６に表示するものなどとしてもよい。
【００３７】
ここで、本実施形態の構成要素と本発明の構成要素との対応関係を明らかにする。本実施形態のＡＤＦ原稿トレイ２７が本発明の「原稿セット部」に相当し、ＡＤＦユニット６１が「自動搬送機構」に相当し、キャリッジ７６に搭載されるＣＩＳ７４が「読取手段」に相当し、連動機構８２と変位部材８４とが「切替部」に相当し、図７の原稿有無検出処理ルーチンを実行するメインコントローラー９０が「原稿検出制御手段」に相当する。また、連動機構８２が「連動機構」に相当し、変位部材８４が「変位部材」に相当する。さらに、移動機構７７が「移動手段」に相当し、電源回路９５が「電源回路」に相当する。
【００３８】
以上説明した本実施形態のプリンター２０によれば、ＡＤＦユニット６１により自動搬送される原稿Ｓを読み取るためのＡＤＦ読取領域３２ｂとは異なる検出領域３２ｃを読み取るようＣＩＳ７４を制御し、読み取りにより得られるＣＩＳ７４の検出パターンに基づいてＡＤＦ原稿トレイ２７に原稿Ｓがセットされているか否かを検出するから、自動搬送される原稿Ｓを読み取るためのＣＩＳ７４を原稿検出に兼用することができる。この結果、原稿検出専用の電子部品が不要となるから、電気的に簡素な構成で原稿Ｓの有無を検出することができる。
【００３９】
また、ＡＤＦ原稿トレイ２７への原稿Ｓのセットにレバー部材８２ａが機械的に連動して変位部材８４が検出領域３２ｃ上から外れた位置に変位するよう構成するから、変位部材８４の有無を検出すればよく、簡易な構成で原稿Ｓの有無を精度よく検出することができる。さらに、連動機構８２は、レバー部材８２ａと回転軸８２ｂとにより構成するから、連動機構８２の部品点数を少なくすることができる。そして、ＡＤＦ原稿トレイ２７に原稿Ｓがセットされていると判定すると、ＡＤＦ読取位置にＣＩＳ７４を移動させるから、ＡＤＦ読取動作の開始が遅れるのを防止することができる。また、原稿有無の検出中には、検出領域３２ｃのスキャンに必要のないセンサーチップ７５への給電を停止するから、原稿有無の検出中のＣＩＳ７４の消費電力を小さくすることができる。なお、検出領域３２ｃをＡＤＦ読取領域３２ｂとは異なる領域としたことで、自動搬送される原稿Ｓを読み取るときに不都合が生じることはない。
【００４０】
なお、本発明は上述した実施形態に何ら限定されることはなく、本発明の技術的範囲に属する限り種々の態様で実施し得ることはいうまでもない。
【００４１】
上述した実施形態では、ＡＤＦ原稿トレイ２７に原稿Ｓがセットされていないときに変位部材８４が検出領域３２ｃ上の位置にあり原稿Ｓがセットされているときに変位部材８４が検出領域３２ｃから外れた位置に変位するものとしたが、これに限られず、ＡＤＦ原稿トレイ２７に原稿Ｓがセットされないときに変位部材８４が検出領域３２ｃ上から外れた位置にあり原稿Ｓがセットされているときに変位部材８４が検出領域３２ｃ上の位置に変位するものとしてもよい。
【００４２】
上述した実施形態では、レバー部材８２ａと回転軸８２ｂとから構成される連動機構８２と変位部材８４とにより検出領域３２ｃに対向するＣＩＳ７４（センサーチップ７５）の受光状態を切り替えて原稿Ｓの有無を検出するものとしたが、これに限られず、ＡＤＦ原稿トレイ２７への原稿Ｓのセットにより検出領域３２ｃに対向するＣＩＳ７４（センサーチップ７５）の受光状態を切り替え可能な機構として構成されたものであれば如何なる構成とするものとしてもよい。例えば、連動機構８２をギヤ機構などにより原稿Ｓのセットに連動する構成などとしてもよい。あるいは、そのような連動機構などを設けることなく、ＡＤＦ原稿トレイ２７をその上面から検出領域３２ｃまで貫通孔が形成された構成としておくものなどとしてもよい。その場合、センサーチップ７５の出力により貫通孔を介して検出領域３２ｃに外光が到達することを検出したときには、ＡＤＦ原稿トレイ２７に原稿Ｓがセットされていないと判定し、センサーチップ７５の出力により外光が遮断されたことを検出したときには原稿Ｓがセットされていると検出することにより、原稿Ｓの有無を検出するものとすればよい。
【００４３】
上述した実施形態では、ＡＤＦ原稿トレイ２７に原稿Ｓがセットされたことを検出したときにはＣＩＳ７４を搭載したキャリッジ７６をＡＤＦ読取位置まで移動させるものとしたが、これに限られず、ＡＤＦ原稿トレイ２７に原稿Ｓがセットされたことを検出してからさらにスタートボタンがタッチ操作されるの待ってキャリッジ７６をＡＤＦ読取位置まで移動させるものとしてもよい。
【００４４】
上述した実施形態では、ＡＤＦ読取領域３２ｂと検出領域３２ｃとが副走査方向に並ぶものとしたが、これに限られず、ＡＤＦ読取領域と検出領域とが主走査方向に並ぶものとしてもよい。ここで、ＣＩＳ７４は、通常はＡＤＦ読取領域３２ｂに対して主走査方向に若干のマージンをもって読み取りが可能となるようセンサーチップ７５を備えるから、そのようなマージンの領域を検出領域として原稿Ｓの有無を検出するものなどとしてもよい。この場合、原稿有無の検出とＡＤＦ読取動作とをキャリッジ７６の移動を伴わずに行なうものとすればよい。なお、この場合に、固定マーク２２ｃを設けるスペースを確保できなければ、これを設けないものとしてもよい。また、上述した実施形態において、もとより固定マーク２２ｃを設けないものとして構わない。
【００４５】
上述した実施形態では、原稿有無の検出中は複数のセンサーチップ７５のうちの一部のセンサーチップ７５のみに給電して残りのセンサーチップ７５への給電を停止するものとしたが、これに限られず、原稿有無の検出中もすべてのセンサーチップ７５に給電するものとしてもよい。
【００４６】
上述した実施形態では、ＡＤＦ読取動作とＦＢ読取動作とを実行可能なものとしたが、これに限られず、ＡＤＦ読取動作のみを実行可能なものとしてもよい。この場合、筐体カバー２２を筐体２０と一体とした構成即ちカバーを備えない構成などとすればよい。
【００４７】
上述した実施形態では、ガイド２９のうちスライド不能な一方の固定ガイド２９ａを基準として原稿Ｓがセットされるものとしたが、これに限られず、スライドが可能な両側のガイドのセンターを基準として原稿Ｓがセットされるものとしてもよい。この場合、ＡＤＦ原稿トレイ２７の略中心に開口部２７ａを形成し、そこからレバー部材８４ａの上端が突出するものなどとすればよい。
【００４８】
上述した実施形態では、光源ユニット５１としてＬＥＤ７２Ｒ，７２Ｇ，７２Ｂの３色のＬＥＤを用いるものとしたが、これに限定されるものではなく、光源ユニットとして白色ＬＥＤを用いるものとしたり、光源ユニットとして蛍光ランプを用いるものとしミラーやレンズにより光をセンサーに導くものとしてもよい。また、受光部も、ＣＩＳ７４に代えてＣＣＤイメージセンサーを用いるものとしてもよい。
【００４９】
上述した実施形態では、本発明をスキャナー機能以外にプリンター機能を備えるプリンター２０に適用して説明したが、プリンター機能を備えないスキャナー単体機に適用するものとしてもよいし、プリンター機能以外にＦＡＸ機能を備えるものに適用するものとしてもよい。
【符号の説明】
【００５０】
２０  プリンター、２１  筐体、２２  筐体カバー、２２ａ，２２ｂ  開口部、２２ｃ  固定マーク、２３  原稿押さえ、２４  フィルム、２５  カセット、２６  排紙トレイ、２７  ＡＤＦ原稿トレイ、２７ａ  開口部、２８  ＡＤＦ排紙トレイ、２９  ガイド、２９ａ  固定ガイド、２９ｂ  可動ガイド、３２  ガラス台、３２ａ  ＦＢ読取領域、３２ｂ  ＡＤＦ読取領域、３２ｃ  検出領域、３６  白基準板、４０  プリンターユニット、４１  プリンターＡＳＩＣ、４２  プリンター機構、４４  メモリーカードコントローラー、４４ａ  メモリーカードスロット、４５  操作パネル、４６  表示部、４７  電源ボタン、５０  スキャナーユニット、５１  スキャナーＡＳＩＣ、５２  制御回路、５４  ＬＥＤ駆動回路、５６  Ａ／Ｄ変換器、５８  モーター駆動回路、６０  スキャナー機構、６１  オートドキュメントフィーダー（ＡＤＦ）ユニット、６２  搬送経路、６３  ピックアップローラー、６４  搬送ローラー、６５  排紙ローラー、６６  搬送モーター、７１  光源ユニット、７２Ｒ，７２Ｇ，７２Ｂ  ＬＥＤ、７３  導光体、７４  ＣＩＳ、７５（７５（１）〜７５（１５））  センサーチップ、７５ａ  受光素子、７６  キャリッジ、７７  移動機構、７８ａ  キャリッジモーター、７８ｂ  従動ローラー、７９  ベルト、８２  連動機構、８２ａ  レバー部材、８２ｂ  回転軸、８４  変位部材、９０  メインコントローラー、９１  ＣＰＵ、９２  ＲＯＭ、９３  ＲＡＭ、９４  インターフェース（Ｉ／Ｆ）、９５  電源回路、９６  ＡＣアダプター、ＭＣ  メモリーカード、Ｓ  原稿、ＳＷ１，ＳＷ２  スイッチ。
【図１】
0005906746.tif 000002
【図２】
0005906746.tif 000003
【図３】
0005906746.tif 000004
【図４】
0005906746.tif 000005
【図５】
0005906746.tif 000006
【図６】
0005906746.tif 000007
【図７】
0005906746.tif 000008
【図８】
0005906746.tif 000009